(57)【特許請求の範囲】
【請求項１】
中心部に取付孔が形成されたボス本体を軸方向に沿い２つに分割して形成された割りボスと、
前記割りボスの円筒部に軸方向に沿って延設され、軸芯に対して略々９０度間隔で放射状に延びる３つのリブと、
前記取付孔との係合部が形成され、該取付孔に挿入配置される動力伝達用の軸部材と、
前記割りボス同士を固定する締結部材と、を有し、
前記３つのリブは、前記割りボスの分割面側に形成され、これら割りボス同士を対面配置した際に互いに重合する２つの分割面側リブと、これら分割面側リブの間に設けられた中間リブとからなり、
前記締結部材によって、対面配置された前記割りボス同士を固定すると共に、前記割りボスと前記軸部材とを固定し、
重合した前記分割面側リブと、２つの前記中間リブのそれぞれに、ファンの基部を取付けて４枚ファンの排塵ファンを形成してなる、
ことを特徴とする脱穀機の排塵ファンのボス構造。
【発明の詳細な説明】
【０００１】
【発明の属する技術分野】
本発明はボス構造に関し、詳しくは割りボス同士を対面配置して固定したボス構造に関する。
【０００２】
【従来の技術】
この種従来のボス構造としては、例えば図５に示すように、動力伝達用の段付きの軸１００は、一端に面取り部１００ａを設け、他端にスプライン溝１００ｂを形成して、中間部を軸受１０１，１０２が収容された筒体１０３に回動自在に支持されていた。また、前記軸１００の一端側に取付けられるファン１０５には、ボス部１０４が溶接固定されていて、該ボス部１０４の中心部に形成された取付孔１０４ａが軸１００に挿入され、面取り部１００ａを介して押しボルト１０６により軸１００に固定されていた。また、ボス部１０４の空気吸引側の端部には、風の流れを良くしワラ等の絡み付きを防止する円板１０７が溶接固定されている。一方、軸１００の他端側には、動力伝達用のベルト１０８の幅が調整可能なプーリ１０９がスプライン溝１００ｂを介して取付けられている。このプーリ１０９は、該プーリ１０９と軸端のプレート１１０との間に装着されたスプリング１１１により一方向に付勢されている。
【０００３】
【発明が解決しようとする課題】
しかし、従来は、ボス部１０４に、ファン１０５や円板１０７等の別部品が溶接されていたため複雑な構造であると共に、軸１００にボス部１０４を固定するために押しボルト１０６を使用していたため、製造コストが増大すると共に、重量も増え、更にボス部１０４の外方に突出した押しボルト１０６の頭にワラが巻付くおそれがあった。
【０００４】
本発明は、斯かる課題を解決するためになされたもので、その目的とするところは、割りボスを用い該割りボス同士の固定と、割りボスと軸部材との固定とを同時に行うことで、構造の簡単化と重量の軽減を図ることができるボス構造を提供することにある。
【０００５】
【課題を解決するための手段】
前記目的を達成するため、請求項１記載の発明は、中心部に取付孔（１２）が形成されたボス本体を軸方向に沿い複数に分割して形成された割りボス（１０）と、
前記取付孔（１２）に挿入配置される動力伝達用の軸部材（３２）と、
前記割りボス（１０）同士を対面配置して固定する締結部材（２６）とを有し、
前記締結部材（２６）を、前記割りボス（１０）同士の固定、及び該割りボス（１０）と前記軸部材（３２）の固定とに兼用した、ことを特徴とする。
【０００６】
望ましくは、前記軸部材（３２）に、前記取付孔（１２）との係合部（３２ａ）を形成した、ことを特徴とする。
【０００７】
望ましくは、前記ボス本体の周囲に、ファン取付け用のリブ部（１６）を形成した、ことを特徴とする。
【０００８】
望ましくは、前記ファン（３０）は、脱穀機（４０）の後部に設けられて穀粒選別室（４２）から選別風を吸引排出する排塵ファンであり、
前記ボス本体は、軸方向の一端側に形成された円板状の壁面（２０）を有し、該壁面（２０）を前記排塵ファンの吸引口（Ａ）側に配置した、ことを特徴とする。
【０００９】
[作用]
本発明によれば、中心部に取付孔（１２）が形成されたボス本体を、複数に分割した割りボス（１０）と、前記取付孔（１２）に挿入配置される動力伝達用の軸部材（３２）とを有し、この割りボス（１０）同士を対面配置して固定する締結部材（２６）を、割りボス（１０）同士の固定、及び該割りボス（１０）と前記軸部材（３２）の固定とに兼用したことで、例えば、従来のように、割りボスではなく一体形成されたボス本体に軸部材（３２）を固定する場合に、ボス本体と軸部材（３２）とを専用の押しボルト等で締め付ける必要がなくなるため、部品点数の削減が図られる。
【００１０】
しかも、締結部材（２６）を締め付けるだけで、割りボス（１０，１０）同士の固定と該割りボス（１０）と軸部材（３２）との固定とが同時に行われるので、構造がシンプル化されると共に、ボス本体と前記軸部材（３２）等を含む全体の重量が軽減される。
【００１１】
なお、括弧内の符号は図面を参照するためのものであって、本発明を何ら限定するものではない。
【００１２】
【発明の実施の形態】
以下、図面に基づき本発明の実施の形態を説明する。
【００１３】
図１は、ボス本体を２つに分割した割りボス１０の外観の斜視図であり、図２（ａ）〜（ｄ）は、その平面図である。
【００１４】
前記割りボス１０は、中心部に取付孔１２が形成されたボス本体を、軸方向に沿って２つに分割して形成されたものである。この割りボス１０は、中心部に取付孔１２が形成された円筒部１４と、該円筒部１４から軸心に対し略々９０度間隔で放射状に延びるリブ部（分割面側リブ，中間リブ）１６と、このリブ部１６を補強する補強リブ１８，１９と、軸方向の一端側に形成された半円板状の壁面２０とを有している。また、前記円筒部１４の軸方向の一側近傍には、リブ部１６を挟んで凹部２２，２２が形成され、該凹部２２にネジ穴２４が形成されている。このネジ穴２４は、割りボス１０，１０同士を対面配置して固定するときの、ボルト２６（締結部材）とナット２７の取付け穴となる（図３参照）。更に、前記リブ部１６には、夫々２個のネジ穴２８，２８が形成されていて、このネジ穴２８により後述するファン３０が取付けられる。
【００１５】
図３に示すように、前記取付孔１２には、動力伝達用の軸３２が挿入配置されるが、割りボス１０，１０同士を対面配置して固定する前記ボルト２６を、割りボス１０同士の固定と、該割りボス１０と軸３２の固定とに兼用している。また、リブ部１６には、ボルト３４によりファン３０が取付けられる。このファン３０は、後述する脱穀機４０の後部に設けられて、穀粒選別室４２から選別風を吸引排出する排塵ファンである（図４参照）。
【００１６】
この排塵ファン３０は、割りボス１０，１０を対面配置して固定されたボス本体のリブ部１６に取付けられ、割りボス１０の中心部に形成された取付孔１２に、段付きの軸３２が挿入されていて、この軸３２には、前記取付孔１２に挿入可能に対面側に面取り部（係合部）３２ａが形成されている。
【００１７】
この面取り部３２ａにより、取付孔１２への軸３２の挿入が容易となると共に、該軸３２が取付孔１２内で不用意に回転するのを防止することができる。前記軸３２は、筒状体５６に所定距離だけ離間されて収容された２個の軸受５８，５９により回動自在に支持されていて、この筒状体５６は、ボルト６１とナット６２によりケーシング６０に固定されている。
【００１８】
なお、軸３２とボス本体とは、該軸３２の一端側に形成された雄ネジにナット６４が螺合されていて、軸３２の他端側には、ボルト６６にてプーリ６８が取付けられている。このプーリ６８が、ベルトにより駆動されて軸３２及び排塵ファン３０が回転する。そして、吸引口Ａから吸入された風は、矢印のように排出口Ｂから排出される。
【００１９】
図４は、前記排塵ファン３０が搭載された脱穀機４０の断側面図を示しており、同図において、該脱穀機４０は、刈取られた穀稈を扱室４１に搬送するフィードチエン４４と、該扱室４１内において、搬送された穀稈を脱穀する扱胴４６とを有し、脱穀された穀粒は受網４８を介して下方の穀粒選別室４２に漏下される。この穀粒選別室４２では、機体前後に揺動する揺動選別体４３と、唐箕５０及び排塵ファン３０によって引起される選別風とにより、前記穀粒が揺動選別され、１番樋５２又は２番樋５４に落下される。
【００２０】
次に、作用について説明する。
【００２１】
本実施の形態では、ボス本体を軸方向に沿って２つの割りボス１０，１０に分割し、この２つの割りボス１０，１０同士を対面配置して、その取付孔１２に軸３２を挿入した状態でボルト２６により固定するようにしたため、該ボルト２６を締付ければ、これと同時に、２つの割りボス１０，１０同士が固定されると共に、取付孔１２に挿入された軸３２が一体的に固定される。すなわち、ボルト２６は、割りボス１０同士の固定と、該割りボス１０と軸３２の固定とに兼用されている。
【００２２】
このため、従来のボス構造のように、ボスの中心部に取付孔を形成し、この取付孔に軸を挿入して押しボルトで締結し、該軸を固定する必要がなくなるため、ボスに軸を固定するためにのみ用いられる押しボルトは不用となり、部品点数の削減を図ることができる。しかも、前記ボルト２６は、図１及び図３に示すように、割りボス１０の円筒部１４の内側に収容されているので、該ボルト２６の頭部にワラが巻付くおそれもない。
【００２３】
また、ファン３０が取付けられる軸３２の外周部には、割りボス１０に形成された取付孔１２に挿入し易いように、面取り部３２ａが形成されており、この面取り部３２ａにより、取付孔１２と軸３２との嵌め合い精度が高められると共に、この面取り部３２ａにより、取付孔１２に挿入された状態で軸３２が該取付孔１２内で不用意に回転するのを防止することができる。
【００２４】
更に、ボス本体を送風用のファン取付部として用いる場合、従来は、ボス本体の周囲にファンを１枚づつ溶接固定していたが、本実施の形態によれば、ボス本体の周囲にはファン取付け用のリブ部１６が形成されているため、従来のように、ボス本体にファン３０を溶接固定する煩雑な作業も必要なくなり、ボルト２６によってファンを着脱自在に、しかも精度良く取付けることができる。
【００２５】
また、本実施の形態のように、ボス本体のリブ部１６を脱穀機４０の排塵ファン３０の取付けに用いた場合、該ボス本体には、図１及び図３に示すように、排塵ファン３０の吸引口Ａ側に円板状の壁面２０が形成されているので、この壁面２０により、吸引口Ａから吸込まれる風の流れをスムーズにすると共に、この壁面２０が吸引口Ａの入口に配置されているため、ボス本体へのワラの巻付きを防止することができる。
【００２６】
【発明の効果】
請求項１記載の発明によれば、ボス本体を分割して形成された割りボスと、該割りボスの取付孔に挿入配置される軸部材とを有すると共に、締結部材を、割りボス同士の固定、及び該割りボスと軸部材の固定とに兼用したので、従来のように、ボスに軸部材を固定するのに押しボルト等を用いる必要がなくなり、部品点数の削減を図ることができる。また、締結部材を締め付けるだけで、割りボス同士の固定と該割りボスと軸部材の固定とが同時に行われるので、構造がシンプル化され重量の軽減を図ることができる。
【００２７】
また、軸部材に、取付孔との係合部を形成したので、該軸部材の挿入が容易となり、また軸部材が取付孔内で不用意に回転するのを防止することができる。
【００２８】
更に、ボス本体の周囲に、ファン取付け用のリブ部を形成したので、従来のように、ボス本体にファンを溶接固定する必要もなくなり、ボルト等によってファンを着脱自在に取付けることができる。
【００２９】
また、リブ部を、脱穀機の穀粒選別室から選別風を吸引排出する排塵ファンの取付けに用い、また、ボス本体は、排塵ファンの吸引口側に円板状の壁面を有しているので、この壁面により選別風の流れをスムーズにすると共に、ボス本体へのワラの巻付きを防止することができる。
【図面の簡単な説明】
【図１】本発明に係るボス構造を構成する割りボスの外観斜視図である。
【図２】（ａ）は割りボスの正面図、（ｂ）はその左側面図、（ｃ）は右側面図、（ｄ）はその下面図である。
【図３】（ａ）はケーシング内に収容された排塵ファンの正面図、（ｂ）は排塵ファン単体の正面図、（ｃ）は（ａ）の側面図である。
【図４】脱穀機の断側面図である。
【図５】従来の排塵ファンの側面図である。
【符号の説明】
１０      割りボス
１２      取付孔
１６      リブ部
２０      壁面
２６      ボルト
３０      ファン
３２      軸
３２ａ    面取部
４０      脱穀機
【図１】
0004309595.tif 000002
【図２】
0004309595.tif 000003
【図３】
0004309595.tif 000004
【図４】
0004309595.tif 000005
【図５】
0004309595.tif 000006